(57)【要約】【課題】短時間で帯電ロールの全周を清掃することができる帯電装置を得る。【解決手段】制御部５６は、帯電ロール１３へ印加するＤＣ成分の電圧をオフにした時点から、帯電ロール１３が当接位置Ｈから当接位置Ｃまで回転すると感光ドラム１２を停止させる。これにより、当接位置Ｈにて、感光ドラム１２から帯電ロール１３に静電的に付着したトナーは、当接位置Ｃで清掃ロール５０によって除去される構成となっている。一方、帯電ロール１３の回転中心Ａと感光ドラム１２の回転中心Ｂを結ぶ線と，帯電ロール１３の回転中心Ａと清掃ロール５０における帯電ロール１３との当接位置Ｃとを結ぶ線とがなす角Θは鋭角となっている。つまり、帯電ロール１３が１／４回転する前に感光ドラム１２から帯電ロール１３に付着したトナーや埃等の異物を清掃ロール５０は除去することができる。これにより、短時間で帯電ロール１３の全周を清掃することができる。【選択図】図１
2007240919.tif 000002
【特許請求の範囲】
【請求項１】
表面に静電潜像が形成される感光体と従動回転して前記感光体を帯電する帯電ロールと、
前記帯電ロールと当接して該帯電ロールの表面を清掃する清掃部材と、を備え、
前記帯電ロールと前記感光体との当接位置から、前記帯電ロールが半回転するまでの領域内で前記帯電ロールと当接するように、前記清掃部材が設けられていることを特徴とする帯電装置。
【請求項２】
前記感光体は感光ドラムであり、前記帯電ロールと前記清掃部材の当接位置は、前記感光ドラムの中心と前記帯電ロールの中心を結ぶ線と、前記帯電ロールの中心と前記帯電ロールと前記清掃部材の当接位置を結ぶ線とが交差する角度が鋭角となる位置で、且つ前記感光ドラムに接触しない位置へ、前記清掃部材を配置したことを特徴とする請求項１に記載の帯電装置。
【請求項３】
前記帯電ロールに印加する電圧をオフにした時点から、前記帯電ロールが、前記感光体と前記帯電ロールとの当接位置から前記清掃部材と前記帯電ロールとの当接位置まで回転した後、前記帯電ロールを停止することを特徴とする請求項１又は２に記載の帯電装置。
【請求項４】
前記感光体に形成された静電潜像の後端が前記感光体と前記帯電ロールとの当接位置を通過してから、前記帯電ロールが、前記感光体と前記帯電ロールとの当接位置から前記清掃部材と前記帯電ロールとの当接位置まで回転した後、前記帯電ロールを停止することを特徴とする請求項１又は２に記載の帯電装置。
【請求項５】
静電潜像を現像する現像装置の現像バイアスをオフにしたとき、前記現像装置と対向していた前記感光体の部位が、前記帯電ロールとの当接位置を通過してから、前記帯電ロールが、前記感光体と前記帯電ロールとの当接位置から前記清掃部材と前記帯電ロールとの当接位置まで回転した後、前記帯電ロールを停止することを特徴とする請求項１又は２に記載の帯電装置。
【請求項６】
請求項１乃至５何れか１項に記載された帯電装置が設けられたことを特徴とする画像形成装置。
【発明の詳細な説明】
【技術分野】
【０００１】
本発明は、感光体の表面を帯電させる帯電ロールを清掃する清掃部材を備えた帯電装置、及びこの帯電装置を備えた画像形成装置に関する。
【背景技術】
【０００２】
帯電装置には、帯電ロールの表面に付着したトナーやトナー添加剤（外添剤）、埃等の異物をクリーニングロール（清掃部材）を用いて清掃するものがある。（特許文献１）
この帯電装置では、帯電ロールの表面に付着したトナーやトナー添加剤（外添剤）、埃等の異物に対して逆極性の電荷を印加したクリーニングロール（清掃部材）を当接させ、帯電ロールと従動回転させることで、帯電ロールの表面を清掃する構成である。
【特許文献１】特開平８−４４１５８公報
【発明の開示】
【発明が解決しようとする課題】
【０００３】
しかしながら、図８に示されるように、クリーニングロール（清掃部材）は、帯電ロールの上部（帯電ロールの中心と感光ドラムの中心を結んだ線上）に設けられている。
【０００４】
このため、感光ドラム（感光体）の表面から帯電ロールの表面に付着したトナーやトナー添加剤（外添剤）、埃等の異物は、帯電ロールが半回転してからクリーニングロールによって除去される。
【０００５】
従って、トナーやトナー添加剤（外添剤）、埃等の異物を除去するには、帯電ロールを半回転させる時間が必要とされる。このため、帯電ロールの駆動時間が長くなり、感光ドラム（感光体）の磨耗が促進され寿命が短くなる。
【０００６】
本発明は、上記事実を考慮し、短時間で帯電ロールの全周を清掃することができる帯電装置を提供することが目的である。
【課題を解決するための手段】
【０００７】
本発明の請求項１に係る帯電装置は、表面に静電潜像が形成される感光体と従動回転して前記感光体を帯電する帯電ロールと、前記帯電ロールと当接して該帯電ロールの表面を清掃する清掃部材と、を備え、前記帯電ロールと前記感光体との当接位置から、前記帯電ロールが半回転するまでの領域内で前記帯電ロールと当接するように、前記清掃部材が設けられていることを特徴とする。
【０００８】
上記構成によれば、帯電ロールが感光体と従動回転して感光体を帯電させ、清掃部材は、感光体の表面から帯電ロールの表面に付着したトナーやトナー添加剤（外添剤）、埃等の異物を帯電ロールが半回転する前に清掃する。
【０００９】
すなわち、短時間で帯電ロールの全周を清掃することができるため、感光体の寿命を延ばすことができる。
【００１０】
本発明の請求項２に係る帯電装置は、請求項１記載において、前記感光体は感光ドラムであり、前記帯電ロールと前記清掃部材の当接位置は、前記感光ドラムの中心と前記帯電ロールの中心を結ぶ線と、前記帯電ロールの中心と前記帯電ロールと前記清掃部材の当接位置を結ぶ線とが交差する角度が鋭角となる位置で、且つ前記感光ドラムに接触しない位置へ、前記清掃部材を配置したことを特徴とする。
【００１１】
上記構成によれば、感光ドラムの中心と帯電ロールの中心を結ぶ線と、帯電ロールの中心と帯電ロールと清掃部材の当接位置を結ぶ線とが交差する角度が鋭角であるため、清掃部材は、感光ドラムの表面から帯電ロールの表面に付着したトナーやトナー添加剤（外添剤）、埃等の異物を帯電ロールが１／４回転する前に清掃する。
【００１２】
従って、帯電ロールを１／４回転させることなく、短時間で帯電ロールの全周を清掃することができる。
【００１３】
本発明の請求項３に係る帯電装置は、請求項１又は２に記載において、前記帯電ロールに印加する電圧をオフにした時点から、前記帯電ロールが、前記感光体と前記帯電ロールとの当接位置から前記清掃部材と前記帯電ロールとの当接位置まで回転した後、前記帯電ロールを停止することを特徴とする。
【００１４】
上記構成によれば、電圧をオフする前に感光体から帯電ロールに付着したトナーやトナー添加剤（外添剤）、埃等の異物を清掃部材が清掃した後に帯電ロールは停止する。
【００１５】
なお、感光体の表面から静電的に帯電ロールの表面に付着するトナーやトナー添加剤（外添剤）、埃等の異物は、帯電ロールに印加する電圧をオフすることで付着しなくなる。
【００１６】
従って、電圧をオフする前に付着した異物を清掃部材が清掃してから帯電ロールが停止するため、トナーやトナー添加剤（外添剤）、埃等の異物が長時間に渡って帯電ロールに付着することを防止することができる。
【００１７】
本発明の請求項４に係る帯電装置は、請求項１又は２に記載において、前記感光体に形成された静電潜像の後端が前記感光体と前記帯電ロールとの当接位置を通過してから、前記帯電ロールが、前記感光体と前記帯電ロールとの当接位置から前記清掃部材と前記帯電ロールとの当接位置まで回転した後、前記帯電ロールを停止することを特徴とする。
【００１８】
上記構成によれば、静電潜像後端のトナーやトナー添加剤(外添剤)のうち，感光体の清掃手段により清掃しきれずに帯電ロールに付着したものを清掃部材が清掃した後に帯電ロールは停止する。特にトナー添加剤(外添剤)はトナーよりも小粒径なため，感光体の清掃手段により清掃・除去されにくく，次工程の帯電ロールに到達し付着しやすい。また、静電潜像の後端以降はトナーによって現像されないため、トナーやトナー添加剤(外添剤)が帯電ロールに付着することはない。
【００１９】
従って、トナーやトナー添加剤（外添剤）が長時間に渡って帯電ロールに付着することを防止することができる。
【００２０】
本発明の請求項５に係る帯電装置は、請求項１又は２に記載において、静電潜像を現像する現像装置の現像バイアスをオフにしたとき、前記現像装置と対向していた前記感光体の部位が、前記帯電ロールとの当接位置を通過してから、前記帯電ロールが、前記感光体と前記帯電ロールとの当接位置から前記清掃部材と前記帯電ロールとの当接位置まで回転した後、前記帯電ロールを停止することを特徴とする。
【００２１】
上記構成によれば、現像バイアスをオフすることで、トナーによる静電潜像の現像が終了し、これ以降は感光体にはトナーやトナー添加剤（外添剤）が付着しない。現像が終了する際に感光体に付着したトナーやトナー添加剤(外添剤)の大半は感光体の清掃手段により清掃・除去されるが，感光体の清掃手段により清掃しきれないものは，次工程の帯電ロールに到達し付着する。特にトナー添加剤(外添剤)はトナーよりも小粒径なため，感光体の清掃手段により清掃・除去されにくく，次工程の帯電ロールに到達し付着しやすい。この帯電ロールに付着したトナーやトナー添加剤(外添剤)を清掃部材が清掃した後に帯電ロールは停止するため、トナーやトナー添加剤(外添剤)が帯電ロールに残留することはない。
【００２２】
従って、トナーやトナー添加剤(外添剤)が長時間に渡って帯電ロールに付着することを防止することができる。
【００２３】
本発明の請求項６に係る画像形成装置は、請求項１乃至５何れか１項に記載された帯電装置が設けられたことを特徴とする。
【００２４】
上記構成によれば、請求項１乃至５いずれか１項に記載された帯電装置が画像形成装置に設けられているため、短時間で帯電ロールの全周を清掃することができる。
【発明の効果】
【００２５】
本発明の帯電装置によれば、短時間で帯電ロールの全周を清掃することができる。
【発明を実施するための最良の形態】
【００２６】
本発明の帯電装置が採用された画像形成装置の第１実施形態を図１〜３に従って説明する。
【００２７】
図３に示されるように、この画像形成装置１００は、図示しないパーソナルコンピュータ等の画像データ入力装置から送られてくるカラー画像情報に基づいて画像処理を行い、電子写真方式によって記録媒体としての記録用紙Ｐにカラー画像を形成するものである。
【００２８】
画像形成装置１００は、イエロー（Ｙ）、マゼンタ（Ｍ）、シアン（Ｃ）、ブラック（Ｋ）の各色のトナー像を形成する画像形成ユニット１０Ｙ，１０Ｍ，１０Ｃ，１０Ｋを備えている。なお、以降、ＹＭＣＫを区別する必要がある場合は、符号の後にＹ、Ｍ、Ｃ、Ｋの何れかを付して説明し、ＹＭＣＫを区別する必要が無い場合は、Ｙ、Ｍ、Ｃ、Ｋを省略する。
【００２９】
画像形成ユニット１０Ｙ，１０Ｍ，１０Ｃ，１０Ｋは、バックアップロール３４と複数の張架ロール３２によって張架された無端状の中間転写ベルト３０の進行方向に対して、画像形成ユニット１０Ｙ，１０Ｍ，１０Ｃ，１０Ｋの順番で直列に配列されている。また、中間転写ベルト３０は、各画像形成ユニット１０Ｙ，１０Ｍ，１０Ｃ，１０Ｋの感光ドラム１２Ｙ，１２Ｍ，１２Ｃ，１２Ｋと、それぞれ対向して配設される一次転写ロール１６Ｙ、１６Ｍ，１６Ｃ，１６Ｋとの間を挿通している。
【００３０】
次に、各画像形成ユニット１０Ｙ，１０Ｍ，１０Ｃ，１０Ｋの構成と画像形成の動作とを、代表してイエロートナー画像を形成する画像形成ユニット１０Ｙについて説明する。
【００３１】
感光ドラム１２Ｙの表面は、帯電ロール１３Ｙにより一様に帯電される。帯電ロール１３Ｙの表面は、帯電ロール１３Ｙと従動回転する清掃部材としての清掃ロール５０Ｙによって清掃される。なお、帯電ロール１３Ｙと清掃ロール５０Ｙで、帯電装置５２Ｙが構成されており、これについては、詳細を後述する。
【００３２】
次に、露光装置１４Ｙによりイエロー画像に対応する像露光がなされ、感光ドラム１２Ｙの表面にイエロー画像に対応する静電潜像が形成される。
【００３３】
イエロー画像に対応する静電潜像は、現像装置１５Ｙ内の現像バイアス電圧が印加されたトナーによって現像されて、感光ドラム１２Ｙの表面にイエロートナー画像が形成される。なお、現像バイアス電圧が印加されたトナーは、現像装置１５Ｙに備えられる現像ロール１８Ｙに担持されている。
【００３４】
さらに、このイエロートナー画像は、一次転写ロール１６Ｙの圧接力と、一次転写ロール１６Ｙに印加された転写バイアス電圧による静電吸引力によって、中間転写ベルト３０上に一次転写される。中間転写ベルト３０に転写されなかった感光ドラム１２Ｙ上の転写残留トナーは、感光ドラム用クリーナー１９Ｙで回収される。
【００３５】
また、画像形成装置１００では、各画像形成ユニット１０Ｙ，１０Ｍ，１０Ｃ，１０Ｋの相対的な位置の違いを考慮したタイミングで、上記と同様の画像形成工程が各画像形成ユニット１０Ｙ，１０Ｍ，１０Ｃ，１０Ｋにおいて行われ、中間転写ベルト３０上に、順次、Ｙ，Ｍ，Ｃ，Ｋの各色トナー像が重ねられ、多重トナー像が形成される。
【００３６】
そして、所定のタイミングで二次転写位置Ａへと搬送されてきた記録用紙Ｐに、転写バイアスが印加された二次転写ロール３６の静電吸引力によって、中間転写ベルト３０から多重トナー像が一括して、記録用紙Ｐに転写される。
【００３７】
多重トナー像が転写された記録用紙Ｐは、中間転写ベルト３０から分離された後、定着装置３１へと搬送され、熱と圧力とにより記録用紙Ｐに定着されてフルカラー画像が形成される。
【００３８】
記録用紙Ｐに転写されなかった中間転写ベルト３０上の転写残留トナーは、中間転写ベルト用クリーナー３３で回収される。
【００３９】
次に帯電装置５２の構成について詳細に説明する。
【００４０】
図１に示されるように、感光ドラム１２から帯電ロール１３に付着したトナーやトナー添加剤(外添剤)、埃等の異物を帯電ロール１３と従動回転することで清掃する清掃ロール５０が設けられている。この清掃ロール５０の中心部には芯金５０Ａが設けられ、芯金５０Ａの両端部は、回転自在に本体フレームに支持されている。芯金５０Ａの外周部にはスポンジ層５０Ｂが設けられ、スポンジ層５０Ｂで帯電ロール１３に付着したトナー等を掻き取る構成である。
【００４１】
また、帯電ロール１３は、導電性のシャフト１３Ａとシャフト１３Ａの周囲に形成された帯電層１３Ｂによって構成され、シャフト１３Ａの両端部が画像形成装置１００の本体フレームに回転可能に支持されている。さらに、電源１７からＡＣ＋ＤＣの電圧を帯電ロール１３に印加することで、帯電ロール１３は、感光ドラム１２との当接位置Ｈにて感光ドラム１２の表面を帯電する構成となっている。
【００４２】
また、感光ドラム１２は、ステッピングモーター１１によって回転し、感光ドラム１２の回転によって、帯電ロール１３及び清掃ロール５０が従動回転する。さらに、このステッピングモーター１１の駆動と帯電ロール１３への電圧の印加を制御する制御部５６が、画像形成装置１００に設けられている。
【００４３】
この制御部５６は、帯電ロール１３へ印加するＤＣ成分の電圧をオフにした時点から、帯電ロール１３が感光ドラム１２との当接位置Ｈから清掃ロール５０との当接位置Ｃまで回転すると感光ドラム１２を停止させる。これにより、感光ドラム１２と帯電ロール１３との当接位置Ｈにて、感光ドラム１２から帯電ロール１３に静電的に付着したトナーや埃等の異物は、帯電ロール１３と清掃ロール５０との当接位置Ｃで帯電ロール１３から除去される構成となっている。
【００４４】
一方、帯電ロール１３の回転中心Ａと感光ドラム１２の回転中心Ｂを結ぶ線と，帯電ロール１３の回転中心Ａと清掃ロール５０における帯電ロール１３との当接位置Ｃとを結ぶ線とがなす角Θは鋭角となっている。つまり、帯電ロール１３が１／４回転する前に感光ドラム１２から帯電ロール１３に付着したトナーや埃等の異物を清掃ロール５０は除去することができる。
【００４５】
以上の構成により、図２（Ａ）に示されるように、帯電ロール１３への電圧がオンの場合には、感光ドラム１２の表面から静電的に帯電ロール１３の表面にトナーやトナー添加剤(外添剤)、埃等の異物が付着する。
【００４６】
さらに、図２（Ｂ）に示されるように、ＤＣ成分の電圧をオフすると（ＡＣ成分の電圧を同時にオフしてもよい）、感光ドラム１２の表面から帯電ロール１３の表面（Ａ０より上流側）にトナーやトナー添加剤(外添剤)、埃等の異物が付着しなくなる。
【００４７】
また、図２（Ｃ）に示されるように、Ａ０がＣに来たとき帯電ロール１３に付着したトナーやトナー添加剤(外添剤)、埃等の異物が清掃ロール５０によって除去され、清掃ロール５０の全周が清掃された状態となり、この状態で感光ドラム１２を停止させることで、帯電ロール１３、及び清掃ロール５０が停止する。
【００４８】
なお、感光ドラム１２を停止させるタイミングは、Ａ０からＣまでの帯電ロール１３の周長を感光ドラム１２の回転量に置き換えて、パルスをカウントすることで決定している。
【００４９】
従って、短時間で帯電ロール１３の全周を清掃することができ、トナーやトナー添加剤(外添剤)、埃等の異物が長時間に渡って帯電ロール１３に付着することを防止することができる。
【００５０】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、清掃部材を清掃ロール５０として、帯電ロール１３と従動回転させることで帯電ロール１３の表面を清掃したが、これに代えて、清掃部材を清掃ブラシ等として、帯電ロール１３に当接させることで帯電ロール１３に付着したトナーや埃等の異物を清掃してもよい。
【００５１】
次に本発明の帯電装置が採用された画像形成装置の第２実施形態を図４〜５に従って説明する。
【００５２】
なお、第１実施形態と同一部材については、同一符号を付してその説明を省略する。
【００５３】
この実施形態では第１実施形態のように、帯電ロール１３へのＤＣ成分の電圧をオフにした時点から、帯電ロール１３を感光ドラム１２との当接位置Ｈから清掃ロール５０との当接位置Ｃまで回転させ停止させるのではなく、それに替えて、図４に示す制御部６０は、感光ドラム１２に形成された静電潜像の後端（図４、図５に示すＸ１）が帯電ロール１３との当接位置Ｈを通過してから、帯電ロール１３を当接位置Ｈから清掃ロール５０との当接位置Ｃまで回転させ停止させる。
【００５４】
詳細には、図５（Ａ）に示されるように、露光装置１４により画像データに基づく像露光がなされ、感光ドラム１２の表面に静電潜像が形成され、この静電潜像は現像装置１５内のトナーによって現像されて、感光ドラム１２の表面にトナー画像が形成される。このトナー画像は、中間転写ベルト３０上に一次転写され、この際に転写されなかった残留トナーは、その大半は感光ドラム用クリーナー１９で清掃・除去されるが，若干は感光ドラム１２上に残留、付着した状態になる。特にトナー添加剤(外添剤)はトナーよりも小粒径なため，感光ドラム用クリーナーにより清掃・除去されにくく，次工程の帯電ロールに到達しやすい。
【００５５】
さらに、図５（Ｂ）に示されるように、静電潜像の後端であるＸ１以降はトナーによって現像されないので感光ドラム１２上にはトナーが付着しない。このため、残留トナーもＸ１以降には付着しない。
【００５６】
また、図５（Ｃ）に示されるように、静電潜像の後端であるＸ１の残留トナーが帯電ロール１３に付着してこの付着したトナーが清掃ロール５０によって除去され、清掃ロールの全周が清掃された状態となり、この状態で感光ドラム１２を停止させることで、帯電ロール１３、及び清掃ロール５０が停止する。
【００５７】
このため、トナーが長時間に渡って帯電ロール１３に付着することを防止することができる。
【００５８】
なお、感光ドラム１２を停止させるタイミングは、Ｘ１からＨまで感光ドラム１２の回転量と、Ｘ１の残留トナーが帯電ロール１３に付着してから清掃ロール５０によって除去されるまでの帯電ロールの回転量を感光ドラム１２の回転に置き換えた回転量とをパルスをカウントすることで決定している。
【００５９】
次に本発明の帯電装置が採用された画像形成装置の第３実施形態を図６〜７に従って説明する。
【００６０】
なお、第１実施形態と同一部材については、同一符号を付してその説明を省略する。
【００６１】
この実施形態では第１実施形態のように、帯電ロール１３へのＤＣ成分の電圧をオフにした時点から、帯電ロール１３を感光ドラム１２との当接位置Ｈから清掃ロール５０との当接位置Ｃまで回転させ停止させるのではなく、それに替えて、図６に示す制御部６２は、電源１９を切ることで現像装置１５の現像バイアスをオフにし、このときに、現像装置１５に設けられる現像ロール１８と対向していた感光ドラム１２の表面部（図６、図７に示すＸ２）が、帯電ロール１３との当接位置Ｈを通過してから、帯電ロール１３を当接位置Ｈから清掃ロール５０との当接位置Ｃまで回転させ停止させる。
【００６２】
詳細には、図７（Ａ）に示されるように、現像ロール１８に担持されるトナーによって静電潜像が現像され、感光ドラム１２にトナー画像が形成される。このトナー画像は、中間転写ベルト３０上に一次転写され、この際に転写されなかった残留トナーは、その大半は感光ドラム用クリーナー１９で清掃・除去されるが，若干は感光ドラム１２上に残留し、付着した状態になる。特にトナー添加剤(外添剤)はトナーよりも小粒径なため，感光ドラム用クリーナーにより清掃・除去されにくく，次工程の帯電ロールに到達しやすい。
【００６３】
さらに、図７（Ｂ）に示されるように、現像バイアスをオフすることで、トナーによる静電潜像の現像が終了する。このため、感光ドラム１２上のＸ２以降はトナーによって現像されないのでトナーが付着しない。そこで、残留トナーもＸ２以降には付着しない。
【００６４】
また、図７（Ｃ）に示されるように、Ｘ２の残留トナーが帯電ロール１３に付着してこの付着したトナーが清掃ロール５０によって除去され、清掃ロールの全周が清掃された状態となり、この状態で感光ドラム１２を停止させることで、帯電ロール１３、及び清掃ロール５０が停止する。
【００６５】
このため、トナーが長時間に渡って帯電ロール１３に付着することを防止することができる。
【００６６】
なお、感光ドラム１２を停止させるタイミングは、Ｘ２からＨまで感光ドラム１２の回転量と、Ｘ２の残留トナーが帯電ロール１３に付着してから清掃ロール５０によって除去されるまでの帯電ロールの回転量を感光ドラム１２の回転に置き換えた回転量とをパルスをカウントすることで決定している。
【図面の簡単な説明】
【００６７】
【図１】本発明の第１実施形態に係る感光ドラム、帯電ロール、及び清掃ロールを示した断面図である。
【図２】（Ａ）本発明の第１実施形態に係る感光ドラム、帯電ロール、及び清掃ロールを示し、帯電ロール１３への電圧がオンの状態を示した断面図である。（Ｂ）本発明の第１実施形態に係る感光ドラム、帯電ロール、及び清掃ロールを示し、帯電ロール１３への電圧をオフした状態を示した断面図である。（Ｃ）本発明の第１実施形態に係る感光ドラム、帯電ロール、及び清掃ロールを示し、清掃ロールが帯電ロールを清掃した後の状態を示した断面図である。
【図３】本発明の実施形態に係る画像形成装置を示した概略構成図である。
【図４】本発明の第２実施形態に係る感光ドラム、帯電ロール、及び清掃ロールを示した断面図である。
【図５】（Ａ）本発明の第２実施形態に係る感光ドラム、帯電ロール、及び清掃ロールを示し、露光装置により感光ドラムの表面に静電潜像が形成されている状態を示した断面図である。（Ｂ）本発明の第２実施形態に係る感光ドラム、帯電ロール、及び清掃ロールを示し、感光ドラム上から、帯電ロール上へ転移した残留トナー等が清掃ロールによって清掃されている状態を示した断面図である。（Ｃ）本発明の第２実施形態に係る感光ドラム、帯電ロール、及び清掃ロールを示し、清掃ロールが帯電ロールを清掃した後の状態を示した断面図である。
【図６】本発明の第３実施形態に係る感光ドラム、帯電ロール、及び清掃ロールを示した断面図である。
【図７】（Ａ）本発明の第３実施形態に係る感光ドラム、帯電ロール、及び清掃ロールを示し、トナーによって静電潜像が現像されている状態を示した断面図である。（Ｂ）本発明の第３実施形態に係る感光ドラム、帯電ロール、及び清掃ロールを示し、トナーへの現像バイアスをオフした状態を示した断面図である。（Ｃ）本発明の第３実施形態に係る感光ドラム、帯電ロール、及び清掃ロールを示し、清掃ロールが帯電ロールを清掃した後の状態を示した断面図である。
【図８】従来例のクリーニングロール、帯電ロール、及び感光ドラムを示した断面図である。
【符号の説明】
【００６８】
１２      感光ドラム（感光体）
１３      帯電ロール
１４      露光装置
１５      現像装置
５０      清掃ロール（清掃部材）
５２      帯電装置
１００    画像形成装置
【図１】
2007240919.tif 000003
【図２】
2007240919.tif 000004
【図３】
2007240919.tif 000005
【図４】
2007240919.tif 000006
【図５】
2007240919.tif 000007
【図６】
2007240919.tif 000008
【図７】
2007240919.tif 000009
【図８】
2007240919.tif 000010